(57)【要約】【課題】ドーマントパケットデータセッションの間にサーバが起点の情報を配送するための方法及び装置【解決手段】ドーマントな目的のモービルに情報を配送するための方法及び装置は、専用のトラフィックチャネルが設定されていない場合に、情報を送信することを提供する。ある実施形態では、方法は、ショートデータバーストで情報を送信することを提供する。それゆえ、開示された実施形態は、目的のモービルがドーマントであってトラフィックチャネルがアクティブでない場合でさえも、グループコールシグナリングを交換することによって実際の全ドーマンシウェークアップ時間の著しい削減を提供する。
2005535157.tif 000002
【特許請求の範囲】
【請求項１】
基地局コントローラ（ＢＳＣ）及びパケット制御機能（ＰＣＦ）を含むワイアレス通信システムにおいてドーマントな目的の通信装置へ情報を配送するための方法であって、方法は、以下を具備する：
目的の通信装置への送信のためにＢＳＣにおいて情報を受信すること；及び
ＢＳＣのサービスエリア内で複数の通信装置へ情報を同報通信すること。
【請求項２】
請求項１の方法、ここで、前記同報通信することは、グループコールに属している通信装置へ情報を同報通信することを含む。
【請求項３】
請求項１の方法、ここで、ＢＳＣ及びＰＣＦは、同じ場所に配置される。
【請求項４】
請求項１の方法、ここで、前記同報通信することは、ワイアレスネットワークの順方向共通チャネル上で情報を送信することを含む。
【請求項５】
請求項４の方法、ここで、前記同報通信することは、ワイアレスネットワークの順方向ページングチャネル（Ｆ−ＰＣＨ）上で情報を送信することを含む。
【請求項６】
請求項４の方法、ここで、前記同報通信することは、ワイアレスネットワークの順方向共通制御チャネル（Ｆ−ＣＣＣＨ）上で情報を送信することを含む。
【請求項７】
請求項４の方法、ここで、前記送信することは、ショートデータバースト（ＳＤＢ）として情報を送信することを含む。
【請求項８】
基地局コントローラ（ＢＳＣ）及びパケット制御機能（ＰＣＦ）を含むワイアレス通信システムにおいてドーマントな目的の通信装置へ情報を配送するための方法を組み込んだコンピュータ読み取り可能なメディアであって、その方法は、以下を具備する：
目的の通信装置への送信のためにＢＳＣにおいて情報を受信すること；及び
ＢＳＣのサービスエリア内で複数の通信装置へ情報を同報通信すること。
【請求項９】
請求項８のコンピュータ読み取り可能なメディア、ここで、前記同報通信することは、グループコールに属している通信装置へ情報を同報通信することを含む。
【請求項１０】
請求項８のコンピュータ読み取り可能なメディア、ここで、ＢＳＣ及びＰＣＦは、同じ場所に配置される。
【請求項１１】
請求項８のコンピュータ読み取り可能なメディア、ここで、前記同報通信することは、ワイアレスネットワークの順方向共通チャネル上で情報を送信することを含む。
【請求項１２】
請求項１１のコンピュータ読み取り可能なメディア、ここで、前記同報通信することは、ワイアレスネットワークの順方向ページングチャネル（Ｆ−ＰＣＨ）上で情報を送信することを含む。
【請求項１３】
請求項１１のコンピュータ読み取り可能なメディア、ここで、前記同報通信することは、ワイアレスネットワークの順方向共通制御チャネル（Ｆ−ＣＣＣＨ）上で情報を送信することを含む。
【請求項１４】
請求項１１のコンピュータ読み取り可能なメディア、ここで、前記送信することは、ショートデータバースト（ＳＤＢ）として情報を送信することを含む。
【請求項１５】
基地局コントローラ（ＢＳＣ）及びパケット制御機能（ＰＣＦ）を含むワイアレス通信システムにおいてドーマントな目的の通信装置へ情報を配送するための装置であって、以下を具備する：
目的の通信装置への送信のためにＢＳＣにおいて情報を受信するための手段；及び
ＢＳＣのサービスエリア内で複数の通信装置へ情報を同報通信するための手段。
【請求項１６】
請求項１５の装置、ここで、前記同報通信するための手段は、グループコールに属している通信装置へ情報を同報通信するための手段を含む。
【請求項１７】
請求項１５の装置、ここで、ＢＳＣ及びＰＣＦは、同じ場所に配置される。
【請求項１８】
請求項１５の装置、ここで、前記同報通信するための手段は、ワイアレスネットワークの順方向共通チャネル上で情報を送信するための手段を含む。
【請求項１９】
請求項１８の装置、ここで、前記同報通信するための手段は、ワイアレスネットワークの順方向ページングチャネル（Ｆ−ＰＣＨ）上で情報を送信するための手段を含む。
【請求項２０】
請求項１８の装置、ここで、前記同報通信するための手段は、ワイアレスネットワークの順方向共通制御チャネル（Ｆ−ＣＣＣＨ）上で情報を送信するための手段を含む。
【請求項２１】
請求項１８の装置、ここで、前記送信するための手段は、ショートデータバースト（ＳＤＢ）として情報を送信するための手段を含む。
【請求項２２】
基地局コントローラ（ＢＳＣ）及びパケット制御機能（ＰＣＦ）を含むワイアレス通信システムにおいてドーマントな目的の通信装置へ情報を配送するための装置であって、以下を具備する：
メモリユニット；
受信機；
送信機；及び
メモリユニット、受信機、及び送信機に接続されたプロセッサであって、プロセッサは、以下の能力がある：
目的の通信装置への送信のためにＢＳＣにおいて情報を受信すること；及び
ＢＳＣのサービスエリア内で複数の通信装置へ情報を同報通信すること。
【請求項２３】
請求項２２の装置、ここで、前記同報通信することは、グループコールに属している通信装置へ情報を同報通信することを含む。
【請求項２４】
請求項２２の装置、ここで、ＢＳＣ及びＰＣＦは、同じ場所に配置される。
【請求項２５】
請求項２２の装置、ここで、前記同報通信することは、ワイアレスネットワークの順方向共通チャネル上で情報を送信することを含む。
【請求項２６】
請求項２５の装置、ここで、ここで、前記同報通信することは、ワイアレスネットワークの順方向ページングチャネル（Ｆ−ＰＣＨ）上で情報を送信することを含む。
【請求項２７】
請求項２５の装置、ここで、前記同報通信することは、ワイアレスネットワークの順方向共通制御チャネル（Ｆ−ＣＣＣＨ）上で情報を送信することを含む。
【請求項２８】
請求項２５の装置、ここで、前記送信することは、ショートデータバースト（ＳＤＢ）として情報を送信することを含む。
【請求項２９】
基地局コントローラ（ＢＳＣ）及びパケット制御機能（ＰＣＦ）を含むワイアレス通信システムにおいてドーマントな目的の通信装置へ情報を配送するための方法であって、方法は、以下を具備する：
目的の通信装置への送信のためにＢＳＣにおいて情報を受信することと；
ＢＳＣ内で複数の通信装置へ要求を送ることのサービスエリアであって；
サービスエリアにおいて通信装置から応答を受信すること；及び
要求に応答した通信装置へ情報を送ること。
【請求項３０】
請求項２９の方法、ここで、前記送ることは、グループコールに属している通信装置へ情報を送ることを含む。
【請求項３１】
請求項２９の方法、ここで、ＢＳＣ及びＰＣＦは、同じ場所に配置される。
【請求項３２】
請求項２９の方法、ここで、前記要求は、目的の通信装置を認識する情報を含む。
【請求項３３】
請求項３２の方法、ここで、前記応答は、要求に応答した通信装置の位置情報を含む。
【請求項３４】
請求項３３の方法であって、位置情報をキャッシュすることをさらに含む。
【請求項３５】
請求項２９の方法であって、前記送ることの前に位置情報をキャッシュすることをさらに含む。
【請求項３６】
請求項２９の方法、ここで、前記送ることは、ワイアレスネットワークの順方向共通チャネル上で情報を送信することを含む。
【請求項３７】
請求項３６の方法、ここで、前記送ることは、ワイアレスネットワークの順方向ページングチャネル（Ｆ−ＰＣＨ）上で情報を送信することを含む。
【請求項３８】
請求項３６の方法、ここで、前記送ることは、ワイアレスネットワークの順方向共通制御チャネル（Ｆ−ＣＣＣＨ）上で情報を送信することを含む。
【請求項３９】
請求項３６の方法、ここで、前記送信することは、ショートデータバースト（ＳＤＢ）として情報を送信することを含む。
【請求項４０】
基地局コントローラ（ＢＳＣ）及びパケット制御機能（ＰＣＦ）を含むワイアレス通信システムにおいてドーマントな目的の通信装置へ情報を配送するための方法を組み込んだコンピュータ読み取り可能なメディアであって、その方法は、以下を具備する：
目的の通信装置への送信のためにＢＳＣにおいて情報を受信することと；
ＢＳＣ内で複数の通信装置へ要求を送ることのサービスエリアであって；
サービスエリアにおいて通信装置から応答を受信すること；及び
要求に応答した通信装置へ情報を送ること。
【請求項４１】
請求項４０のコンピュータ読み取り可能なメディア、ここで、前記送ることは、グループコールに属している通信装置へ情報を送ることを含む。
【請求項４２】
請求項４０のコンピュータ読み取り可能なメディア、ここで、ＢＳＣ及びＰＣＦは、同じ場所に配置される。
【請求項４３】
請求項４０のコンピュータ読み取り可能なメディア、ここで、前記要求は、目的の通信装置を認識する情報を含む。
【請求項４４】
請求項４３のコンピュータ読み取り可能なメディア、ここで、前記応答は、要求に応答した通信装置の位置情報を含む。
【請求項４５】
請求項４３のコンピュータ読み取り可能なメディアであって、その方法は、位置情報をキャッシュすることをさらに含む。
【請求項４６】
請求項４０のコンピュータ読み取り可能なメディアであって、その方法は、前記送ることの前に位置情報をキャッシュすることをさらに含む。
【請求項４７】
請求項４０のコンピュータ読み取り可能なメディア、ここで、前記送ることは、ワイアレスネットワークの順方向共通チャネル上で情報を送信することを含む。
【請求項４８】
請求項４７のコンピュータ読み取り可能なメディア、ここで、前記送ることは、ワイアレスネットワークの順方向ページングチャネル（Ｆ−ＰＣＨ）上で情報を送信することを含む。
【請求項４９】
請求項４７のコンピュータ読み取り可能なメディア、ここで、前記送ることは、ワイアレスネットワークの順方向共通制御チャネル（Ｆ−ＣＣＣＨ）上で情報を送信することを含む。
【請求項５０】
請求項４７のコンピュータ読み取り可能なメディア、ここで、前記送信することは、ショートデータバースト（ＳＤＢ）として情報を送信することを含む。
【請求項５１】
基地局コントローラ（ＢＳＣ）及びパケット制御機能（ＰＣＦ）を含むワイアレス通信システムにおいてドーマントな目的の通信装置へ情報を配送するための装置であって、以下を具備する：
目的の通信装置への送信のためにＢＳＣにおいて情報を受信するための手段であって；のサービスエリア
ＢＳＣ内で複数の通信装置へ要求を送るための手段；
サービスエリアにおいて通信装置から応答を受信するための手段；及び
要求に応答した通信装置へ情報を送るための手段。
【請求項５２】
請求項５１の装置、ここで、前記送るための手段は、グループコールに属している通信装置へ情報を送るための手段を含む。
【請求項５３】
請求項５１の装置、ここで、ＢＳＣ及びＰＣＦは、同じ場所に配置される。
【請求項５４】
請求項５１の装置、ここで、前記要求は、目的の通信装置を認識する情報を含む。
【請求項５５】
請求項５４の装置、ここで、前記応答は、要求に応答した通信装置の位置情報を含む。
【請求項５６】
請求項５５の装置であって、位置情報をキャッシュするための手段をさらに含む。
【請求項５７】
請求項５１の装置であって、前記送ることの前に位置情報をキャッシュするための手段をさらに含む。
【請求項５８】
請求項５１の装置、ここで、前記送るための手段は、ワイアレスネットワークの順方向共通チャネル上で情報を送信するための手段を含む。
【請求項５９】
請求項５８の装置、ここで、前記送るための手段は、ワイアレスネットワークの順方向ページングチャネル（Ｆ−ＰＣＨ）上で情報を送信するための手段を含む。
【請求項６０】
請求項５８の装置、ここで、前記送るための手段は、ワイアレスネットワークの順方向共通制御チャネル（Ｆ−ＣＣＣＨ）上で情報を送信するための手段を含む。
【請求項６１】
請求項５８の装置、ここで、前記送信するための手段は、ショートデータバースト（ＳＤＢ）として情報を送信するための手段を含む。
【請求項６２】
基地局コントローラ（ＢＳＣ）及びパケット制御機能（ＰＣＦ）を含むワイアレス通信システムにおいてドーマントな目的の通信装置へ情報を配送するための装置であって、以下を具備する：
メモリユニット；
受信機；
送信機；及び
メモリユニット、受信機、及び送信機に接続されたプロセッサであって、プロセッサは、以下の能力がある：
目的の通信装置への送信のためにＢＳＣにおいて情報を受信すること；
ＢＳＣ内で複数の通信装置へ要求を送ることのサービスエリアであって；
サービスエリアにおいて通信装置から応答を受信すること；及び
要求に応答した通信装置へ情報を送ること。
【請求項６３】
請求項６２の装置、ここで、前記同報通信することは、グループコールに属している通信装置へ情報を同報通信することを含む。
【請求項６４】
請求項６２の装置、ここで、ＢＳＣ及びＰＣＦは、同じ場所に配置される。
【請求項６５】
請求項６２の装置、ここで、前記要求は、目的の通信装置を認識する情報を含む。
【請求項６６】
請求項６５の装置、ここで、前記応答は、要求に応答した通信装置の位置情報を含む。
【請求項６７】
請求項６６の装置、ここで、プロセッサは、さらに位置情報をキャッシュする能力がある。
【請求項６８】
請求項６２の装置、ここで、プロセッサは、さらに前記送ることの前に位置情報をキャッシュする能力がある。
【請求項６９】
請求項６２の装置、ここで、前記送ることは、ワイアレスネットワークの順方向共通チャネル上で情報を送信することを含む。
【請求項７０】
請求項６９の装置、ここで、前記送ることは、ワイアレスネットワークの順方向ページングチャネル（Ｆ−ＰＣＨ）上で情報を送信することを含む。
【請求項７１】
請求項６９の装置、ここで、前記送ることは、ワイアレスネットワークの順方向共通制御チャネル（Ｆ−ＣＣＣＨ）上で情報を送信することを含む。
【請求項７２】
請求項６９の装置、ここで、前記送信することは、ショートデータバースト（ＳＤＢ）として情報を送信することを含む。
【請求項７３】
パケット制御機能（ＰＣＦ）と通信する複数の基地局コントローラ（ＢＳＣｓ）を含むワイアレス通信システムにおいてドーマントな目的の通信装置へ情報を配送するための方法であって、方法は、以下を具備する：
目的の通信装置へ情報を送るために複数のＢＳＣｓの１において要求を受信することと；
ＢＳＣが目的の通信装置に関する位置情報を有するかを決定すること；及び
ＢＳＣが位置情報を有するのであれば目的の通信装置へ情報を送信すること。
【請求項７４】
請求項７３の方法であって、前記ＢＳＣが目的の通信装置に関する位置情報を持たないで、目的の通信装置に関する位置情報を有する他のＢＳＣｓの１が目的の通信装置へ情報を送信するのであれば、他のＢＳＣｓへ情報を送信することをさらに含む。
【請求項７５】
請求項７４の方法であって、ＢＳＣｓのいずれもが目的の通信装置に関する位置情報を持たないのであれば、全ての通信装置へ情報を同報通信することをさらに含む。
【請求項７６】
請求項７３の方法、ここで、ＢＳＣｓ及びＰＣＦは、同じ場所に配置されない。
【請求項７７】
請求項７３の方法、ここで、前記送信することは、ワイアレスネットワークの順方向共通チャネル上で送信することを含む。
【請求項７８】
請求項７７の方法、ここで、前記送信することは、ワイアレスネットワークの順方向ページングチャネル（Ｆ−ＰＣＨ）上で送信することを含む。
【請求項７９】
請求項７７の方法、ここで、前記送信することは、ワイアレスネットワークの順方向共通制御チャネル（Ｆ−ＣＣＣＨ）上で送信することを含む。
【請求項８０】
請求項７７の方法、ここで、前記情報を送信することは、ショートデータバースト（ＳＤＢ）として情報を送信することを含む。
【請求項８１】
パケット制御機能（ＰＣＦ）と通信する複数の基地局コントローラ（ＢＳＣｓ）を含むワイアレス通信システムにおいてドーマントな目的の通信装置へ情報を配送するための方法を組み込んだコンピュータ読み取り可能なメディアであって、その方法は、以下を具備する：
目的の通信装置へ情報を送るために複数のＢＳＣｓの１において要求を受信することと；
ＢＳＣが目的の通信装置に関する位置情報を有するかを決定すること；及び
ＢＳＣが位置情報を有するのであれば目的の通信装置へ情報を送信すること。
【請求項８２】
請求項８１のコンピュータ読み取り可能なメディアであって、前記ＢＳＣが目的の通信装置に関する位置情報を持たないで、目的の通信装置に関する位置情報を有する他のＢＳＣｓの１が目的の通信装置へ情報を送信するのであれば、他のＢＳＣｓへ情報を送信することをさらに含む。
【請求項８３】
請求項８１のコンピュータ読み取り可能なメディアであって、その方法は、ＢＳＣｓのいずれもが、目的の通信装置に関する位置情報を持たないのであれば、全ての通信装置へ情報を同報通信することをさらに含む。
【請求項８４】
請求項８１のコンピュータ読み取り可能なメディア、ここで、ＢＳＣｓ及びＰＣＦは、同じ場所に配置されない。
【請求項８５】
請求項８１のコンピュータ読み取り可能なメディア、ここで、前記送信することは、ワイアレスネットワークの順方向共通チャネル上で送信することを含む。
【請求項８６】
請求項８５のコンピュータ読み取り可能なメディア、ここで、前記送信することは、ワイアレスネットワークの順方向ページングチャネル（Ｆ−ＰＣＨ）上で送信することを含む。
【請求項８７】
請求項８５のコンピュータ読み取り可能なメディア、ここで、前記送信することは、ワイアレスネットワークの順方向共通制御チャネル（Ｆ−ＣＣＣＨ）上で送信することを含む。
【請求項８８】
請求項８５のコンピュータ読み取り可能なメディア、ここで、前記送信することは、ショートデータバースト（ＳＤＢ）として情報を送信することを含む。
【請求項８９】
パケット制御機能（ＰＣＦ）と通信する複数の基地局コントローラ（ＢＳＣｓ）を含むワイアレス通信システムにおいてドーマントな目的の通信装置へ情報を配送するための装置であって、以下を具備する：
目的の通信装置へ情報を送るために複数のＢＳＣｓの１において要求を受信するための手段と；
ＢＳＣが目的の通信装置に関する位置情報を有するかを決定するための手段；及び
ＢＳＣが位置情報を有するのであれば目的の通信装置へ情報を送信するための手段。
【請求項９０】
請求項９０の装置であって、前記ＢＳＣが目的の通信装置に関する位置情報を持たないで、目的の通信装置に関する位置情報を有する他のＢＳＣｓの１が目的の通信装置へ情報を送信するのであれば、他のＢＳＣｓへ情報を送信するための手段をさらに含む。
【請求項９１】
請求項８９の装置であって、ＢＳＣｓのいずれもが、目的の通信装置に関する位置情報を持たないのであれば、全ての通信装置へ情報を同報通信するための手段をさらに含む。
【請求項９２】
請求項８９の装置、ここで、ＢＳＣｓ及びＰＣＦは、同じ場所に配置されない。
【請求項９３】
請求項８９の装置、ここで、前記送信するための手段は、ワイアレスネットワークの順方向共通チャネル上で情報を送信する。
【請求項９４】
請求項９３の装置、ここで、前記送信するための手段は、ワイアレスネットワークの順方向ページングチャネル（Ｆ−ＰＣＨ）上で情報を送信する。
【請求項９５】
請求項９３の装置、ここで、前記送信するための手段は、ワイアレスネットワークの順方向共通制御チャネル（Ｆ−ＣＣＣＨ）上で情報を送信する。
【請求項９６】
請求項９３の装置、ここで、前記送信するための手段は、ショートデータバースト（ＳＤＢ）として情報を送信する。
【請求項９７】
パケット制御機能（ＰＣＦ）と通信する複数の基地局コントローラ（ＢＳＣｓ）を含むワイアレス通信システムにおいてドーマントな目的の通信装置へ情報を配送するための装置であって、以下を具備する：
メモリユニット；
受信機；
送信機；及び
メモリユニット、受信機、及び送信機に接続されたプロセッサであって、プロセッサは、以下の能力がある：
目的の通信装置へ情報を送るために複数のＢＳＣｓの１において要求を受信することと；
ＢＳＣが目的の通信装置に関する位置情報を有するかを決定すること；及び
ＢＳＣが位置情報を有するのであれば目的の通信装置へ情報を送信すること。
【請求項９８】
請求項９７の装置であって、プロセッサは、前記ＢＳＣが目的の通信装置に関する位置情報を持たないで、目的の通信装置に関する位置情報を有する他のＢＳＣｓの１が目的の通信装置へ情報を送信するのであれば、さらに他のＢＳＣｓへ情報を送信する能力がある。
【請求項９９】
請求項９８の装置であって、プロセッサは、ＢＳＣｓのいずれもが、目的の通信装置に関する位置情報を持たないのであれば、さらに全ての通信装置へ情報を同報通信する能力がある。
【請求項１００】
請求項９７の装置、ここで、ＢＳＣｓ及びＰＣＦは、同じ場所に配置されない。
【請求項１０１】
請求項９７の装置、ここで、前記送信することは、ワイアレスネットワークの順方向共通チャネル上で送信することを含む。
【請求項１０２】
請求項１０１の装置、ここで、前記送信することは、ワイアレスネットワークの順方向ページングチャネル（Ｆ−ＰＣＨ）上で送信することを含む。
【請求項１０３】
請求項１０１の装置、ここで、前記送信することは、ワイアレスネットワークの順方向共通制御チャネル（Ｆ−ＣＣＣＨ）上で情報を送信することを含む。
【請求項１０４】
請求項１０１の装置、ここで、前記送信することは、ショートデータバースト（ＳＤＢ）として情報を送信する。
【請求項１０５】
パケット制御機能（ＰＣＦ）と通信する複数の移動局コントローラ（ＭＳＣ）及び複数の基地局コントローラ（ＢＳＣｓ）を含むワイアレス通信システムにおいてドーマントな目的の通信装置へ情報を配送するための方法であって、方法は、以下を具備する：
目的の通信装置へ情報を送信するために複数のＢＳＣｓの１においてアプリケーションデータ配送サービス（ＡＤＤＳ）ページを受信することと；
ＢＳＣにおいて情報をバッファすることと；
通信装置へ要求を送ることと；
目的の通信装置から応答を受信すること；及び
目的の通信装置へ情報を送ること。
【請求項１０６】
請求項１０５の方法、ここで、前記要求を送ることは、登録要求を送ることを含み、及び前記応答を受信することは、登録応答を受信することを含む。
【請求項１０７】
請求項１０５の方法、ここで、前記要求を送ることは、一般ページを送ることを含み、及び前記応答を受信することは、一般ページ応答を受信することを含む。
【請求項１０８】
請求項１０５の方法、ここで、その応答は、目的の通信装置の位置情報を含む。
【請求項１０９】
請求項１０８の方法であって、目的の通信装置の位置情報をキャッシュすることをさらに含む。
【請求項１１０】
請求項１０５の方法、ここで、ＢＳＣｓ及びＰＣＦは、同じ場所に配置されない。
【請求項１１１】
請求項１０５の方法、ここで、前記送ることは、ワイアレスネットワークの順方向共通チャネル上で情報を送信することを含む。
【請求項１１２】
請求項１１０の方法、ここで、前記送ることは、ワイアレスネットワークの順方向ページングチャネル（Ｆ−ＰＣＨ）上で情報を送信することを含む。
【請求項１１３】
請求項１１０の方法、ここで、前記送ることは、ワイアレスネットワークの順方向共通制御チャネル（Ｆ−ＣＣＣＨ）上で情報を送信することを含む。
【請求項１１４】
請求項１１０の方法、ここで、前記情報を送ることは、ショートデータバースト（ＳＤＢ）として情報を送信することを含む。
【請求項１１５】
パケット制御機能（ＰＣＦ）と通信する複数の移動局コントローラ（ＭＳＣ）及び複数の基地局コントローラ（ＢＳＣｓ）を含むワイアレス通信システムにおいてドーマントな目的の通信装置へ情報を配送するための方法を組み込んだコンピュータ読み取り可能なメディアであって、その方法は、以下を具備する：
目的の通信装置へ情報を送信するために複数のＢＳＣｓの１においてアプリケーションデータ配送サービス（ＡＤＤＳ）ページを受信することと；
ＢＳＣにおいて情報をバッファすることと；
通信装置へ要求を送ることと；
目的の通信装置から応答を受信すること；及び
目的の通信装置へ情報を送ること。
【請求項１１６】
請求項１１５のコンピュータ読み取り可能なメディア、ここで、前記要求を送ることは、登録要求を送ることを含み、及び前記応答を受信することは、登録応答を受信することを含む。
【請求項１１７】
請求項１１５のコンピュータ読み取り可能なメディア、ここで、前記要求を送ることは、一般ページを送ることを含み、及び前記応答を受信することは、一般ページ応答を受信することを含む。
【請求項１１８】
請求項１１５のコンピュータ読み取り可能なメディア、ここで、その応答は、目的の通信装置の位置情報を含む。
【請求項１１９】
請求項１１８のコンピュータ読み取り可能なメディアであって、目的の通信装置の位置情報をキャッシュすることをさらに含む。
【請求項１２０】
請求項１１５の方法、ここで、ＢＳＣｓ及びＰＣＦは、同じ場所に配置されない。
【請求項１２１】
請求項１１５のコンピュータ読み取り可能なメディア、ここで、前記送ることは、ワイアレスネットワークの順方向共通チャネル上で情報を送信することを含む。
【請求項１２２】
請求項１２１のコンピュータ読み取り可能なメディア、ここで、前記送ることは、ワイアレスネットワークの順方向ページングチャネル（Ｆ−ＰＣＨ）上で情報を送信することを含む。
【請求項１２３】
請求項１２１のコンピュータ読み取り可能なメディア、ここで、前記送ることは、ワイアレスネットワークの順方向共通制御チャネル（Ｆ−ＣＣＣＨ）上で情報を送信することを含む。
【請求項１２４】
請求項１２１のコンピュータ読み取り可能なメディア、ここで、前記情報を送ることは、ショートデータバースト（ＳＤＢ）として情報を送信することを含む。
【請求項１２５】
パケット制御機能（ＰＣＦ）と通信する複数の移動局コントローラ（ＭＳＣ）及び複数の基地局コントローラ（ＢＳＣｓ）を含むワイアレス通信システムにおいてドーマントな目的の通信装置へ情報を配送するための装置であって、以下を具備する：
目的の通信装置へ情報を送信するために複数のＢＳＣｓの１においてアプリケーションデータ配送サービス（ＡＤＤＳ）ページを受信するための手段と；
ＢＳＣにおいて情報をバッファするための手段と；
通信装置へ要求を送るための手段と；
目的の通信装置から応答を受信するための手段；及び
目的の通信装置へ情報を送るための手段。
【請求項１２６】
請求項１２５の装置、ここで、前記要求を送るための手段は、登録要求を送るための手段を含み、及び前記応答を受信するための手段は、登録応答を受信するための手段を含む。
【請求項１２７】
請求項１２５のコンピュータ読み取り可能なメディア、ここで、前記要求を送るための手段は、一般ページを送るための手段を含み、及び前記応答を受信するための手段は、一般ページ応答を受信するための手段を含む。
【請求項１２８】
請求項１２５の装置、ここで、応答は、目的の通信装置の位置情報を含む。
【請求項１２９】
請求項１２８の装置であって、目的の通信装置の位置情報をキャッシュするための手段をさらに含む。
【請求項１３０】
請求項１２５の装置、ここで、ＢＳＣｓ及びＰＣＦは、同じ場所に配置されない。
【請求項１３１】
請求項１２５の装置、ここで、前記送るための手段は、ワイアレスネットワークの順方向共通チャネル上で情報を送信する。
【請求項１３２】
請求項１３１の装置、ここで、前記送るための手段は、ワイアレスネットワークの順方向ページングチャネル（Ｆ−ＰＣＨ）上で情報を送信する。
【請求項１３３】
請求項１３１の装置、ここで、前記送るための手段は、ワイアレスネットワークの順方向共通制御チャネル（Ｆ−ＣＣＣＨ）上で情報を送信する。
【請求項１３４】
請求項１３１の装置、ここで、前記情報を送るための手段は、ショートデータバースト（ＳＤＢ）として情報を送信する。
【請求項１３５】
パケット制御機能（ＰＣＦ）と通信する複数の移動局コントローラ（ＭＳＣ）及び複数の基地局コントローラ（ＢＳＣｓ）を含むワイアレス通信システムにおいてドーマントな目的の通信装置へ情報を配送するための装置であって、以下を具備する：
メモリユニット；
受信機；
送信機；及び
メモリユニット、受信機、及び送信機に接続されたプロセッサであって、プロセッサは、以下の能力がある：
目的の通信装置へ情報を送信するために複数のＢＳＣｓの１においてアプリケーションデータ配送サービス（ＡＤＤＳ）ページを受信することと；
ＢＳＣにおいて情報をバッファすることと；
通信装置へ要求を送ることと；
目的の通信装置から応答を受信すること；及び
目的の通信装置へ情報を送ること。
【請求項１３６】
請求項１３５の装置、ここで、前記要求を送ることは、登録要求を送ることを含み、及び前記応答を受信することは、登録応答を受信することを含む。
【請求項１３７】
請求項１３５のコンピュータ読み取り可能なメディア、ここで、前記要求を送ることは、一般ページを送ることを含み、及び前記応答を受信することは、一般ページ応答を受信することを含む。
【請求項１３８】
請求項１３５の装置、ここで、応答は、目的の通信装置の位置情報を含む。
【請求項１３９】
請求項１３８の装置であって、プロセッサは、目的の通信装置の位置情報をさらにキャッシュする能力がある。
【請求項１４０】
請求項１３９の装置、ここで、ＢＳＣｓ及びＰＣＦは、同じ場所に配置されない。
【請求項１４１】
請求項１３９の装置、ここで、前記送ることは、ワイアレスネットワークの順方向共通チャネル上で情報を送信することを含む。
【請求項１４２】
請求項１４１の装置、ここで、前記送ることは、ワイアレスネットワークの順方向ページングチャネル（Ｆ−ＰＣＨ）上で情報を送信することを含む。
【請求項１４３】
請求項１４１の装置、ここで、前記送ることは、ワイアレスネットワークの順方向共通制御チャネル（Ｆ−ＣＣＣＨ）上で情報を送信することを含む。
【請求項１４４】
請求項１４１の装置、ここで、前記情報を送ることは、ショートデータバースト（ＳＤＢ）として情報を送信することを含む。
【発明の詳細な説明】
【技術分野】
【０００１】
本発明は、ポイントツーマルチポイント通信システムに係る。特に、本発明は、ワイアレス通信システムにおいてドーマントな目的の通信装置へサーバが起点の情報を配送するための方法及び装置に関する。
【背景技術】
【０００２】
ワイアレス通信システムにおいてパケットデータサービスがアクティブである場合に、インフラストラクチャ中のリソース、例えば、基地局トランシーバサブシステム（ＢＴＳ）、基地局コントローラ（ＢＳＣ）、インターワーキング（ＩＷＦ）、及び無線リンクは、移動局（ＭＳ）にアクティブに割り当てられる。ドーマントパケットデータセッションにおいてインアクティビティの期間の後で、システム能力を保存すること、サービスコストを削減すること、そしてバッテリー寿命を節約することである。しかしながら、ドーマントパケットデータセッションをアクティブセッションに戻す移行動作は、システム応答においてかなりの遅延を生ずる。既存のワイアレス通信インフラストラクチャは、ドーマントパケットデータセッションをウェイキングアップ(waking up)することにおいて待ち時間を著しく減少するための機会が限られる、すなわち、実際の待ち時間は、ドーマントパケットデータセッション内でトラフィックチャネルを再設定するために必要な時間以下に削減することが不可能である可能性がある。
【０００３】
例えば、迅速な、効率的な、１−対−１若しくは１−対−複数（グループ）通信を目的とするワイアレスサービスのクラスは、長年の間種々の形式で存在してきた。一般に、これらのサービスは、半二重通信方式である。ここで、ユーザは、通話を始めるために自分の電話機／無線機の“プッシュ−ツー−トーク”（ＰＴＴ）ボタンを押す。フロア、すなわち、話し手許可、がアクノリッジされたのであれば、ユーザは、その後、一般に数秒間話す。その後で、ユーザは、自分のＰＴＴボタンを解放する。そして、他の話し手がフロアを要求できる。通信は、一般に１人の話し手から聞き手のグループへであるが、１−対−１である可能性がある。このサービスは、１人の人間、“ディスパッチャ”が、フィールドサービス担当者若しくはタクシー運転手のような、グループの人と通信する必要があるアプリケーションにおいて、古くから使用されてきている。これが、このサービスに対する“ディスパッチャ”の名前の由来である。同様のサービスが、インターネット上で提供されてきており、一般に“ボイスチャット”として知られている。
【０００４】
これらのサービスの重要な特徴は、通信が、一般的なダイアルをすること及び電話をかける手順をすることなく、通常は単にＰＴＴボタンを押すことによって開始され、迅速であり自然発生的なことである。このタイプのサービスにおける通信は、一般に非常に短く、会話の“スパーツ(spurts)”が一般に数秒のオーダーであり、そして“会話”はおそらく１分若しくはそれ以下継続する。ユーザがフロアを要求する時間と、ユーザがフロアを有し会話を開始する可能性があるサーバから肯定的な若しくは否定的な確認を受信する時間との間の時間遅延は、半二重通信方式グループ通信システムにとって非常に重要なパラメータである。この遅延はＰＴＴ待ち時間として知られる、これまで述べたように、ディスパッチシステムは、短い、迅速な会話を優先事項にする、これはＰＴＴ待ち時間が大きくなるとサービスの効率を低下させる。
【０００５】
それゆえ、システムの能力、クライアントのバッテリー寿命、若しくは他のリソースに悪影響することなく、話し手によって経験された待ち時間及びモービルが参加するためにトラフィックチャネルを再設定するために必要な全体の待ち時間を削減するための機構に対する要求がある。
【発明の開示】
【０００６】
［サマリー］
開示された実施形態は、ワイアレス通信システムにおいてドーマントな目的の通信装置へ情報を配送するための卓越したそして改善された方法及び装置を提供する。本発明の1態様では、基地局コントローラ（ＢＳＣ）及びパケット制御機能（ＰＣＦ）を含むワイアレス通信システムにおいてドーマントな目的の通信装置へ情報を配送するための方法は、目的の通信装置への送信のためにＢＳＣにおいて情報を受け取ること、ＢＳＣのサービスエリア内で複数の通信装置へ情報を同報通信することを含む。１態様では、情報は、ショートデータバーストとして逆方向アクセスチャネル（Ｒ−ＡＣＨ）上で若しくは逆方向エンハンストアクセスチャネル（Ｒ−ＥＡＣＨ）上で送られる。
【０００７】
１態様では、基地局コントローラ（ＢＳＣ）及びパケット制御機能（ＰＣＦ）を含むワイアレス通信システムにおいてドーマントな目的の通信装置へ情報を配送するための方法は、ＢＳＣのサービスエリア内で複数の通信装置へ要求を送ること、サービスエリア内で通信装置から応答を受け取ること、及び要求に応答した通信装置へ情報を送ることを含む。
【０００８】
1態様では  パケット制御機能（ＰＣＦ）を使用して通信する複数の基地局コントローラ（ＢＳＣｓ）を含むワイアレス通信システムにおいてドーマントな目的の通信装置へ情報を配送するための方法は、目的の通信装置へ情報を送るために複数のＢＳＣｓの１において要求を受け取ることと、ＢＳＣが目的の通信装置に関する位置情報を有するかを決定すること、及びＢＳＣが位置情報を有するのであれば目的の通信装置へ情報を送信することを含む。その方法は、ＢＳＣが目的の通信装置に関する位置情報を持たないで、その結果、目的の通信装置に関する位置情報を有する他のＢＳＣｓの１が目的の通信装置へ情報を送信するのであれば、他のＢＳＣｓへ情報を送信することをさらに含む。その方法は、ＢＳＣｓのいずれもが、目的の通信装置に関する位置情報を持たないのであれば、全ての通信装置へ情報を同報通信することをさらに含む。
【０００９】
1態様では、パケット制御機能（ＰＣＦ）を使用して通信する複数の移動局コントローラ（ＭＳＣ）及び複数の基地局コントローラ（ＢＳＣｓ）を含むワイアレス通信システムにおいてドーマントな目的の通信装置へ情報を配送するための方法は、目的の通信装置へ情報を送信するために複数のＢＳＣｓの１においてアプリケーションデータ配送サービス（ＡＤＤＳ）ページを受け取ることと、ＢＳＣにおいて情報をバッファすることと、ＢＳＣのサービスエリア内で複数の通信装置へ要求を送ることと、サービスエリア内で通信装置から応答を受け取ること、及び要求に応答した通信装置へ情報を送ることを含む。
【００１０】
1態様では、ワイアレス通信システムにおいてドーマントな目的の通信装置へ情報を配送するための装置は、メモリユニット、受信機、送信機、及びメモリユニット、受信機、及び送信機に通信的に接続されたプロセッサを含む。プロセッサは、上記の方法を実施できる。
【発明を実施するための最良の形態】
【００１１】
本発明の特徴及び利点は、図面を使用して以下に述べる詳細な説明から、さらに明確になるであろう。図面では、一貫して対応するものは同じ参照符号で識別する。
【００１２】
本発明の１実施形態を詳細に説明する前に、本発明が、以下の説明若しくは図面に説明された構成要素の構成及び配置の詳細な説明にアプリケーションを制限されることがないことが、理解されるはずである。本発明は、他の実施形態において実行されることが可能であり、種々の方法で実施される。しかも、ここに使用された表現及び用語は、説明の目的のためであり、制限すると見なされるべきではない。
【００１３】
図１は、本発明の１実施形態を実行するための、グループ通信システム１００のイグゼンプラリな機能的ブロック図を示す。グループ通信システム１００は、プッシュ−ツー−トーク（ＰＴＴ）システム、ネット同報通信サービス（ＮＢＳ），ディスパッチシステム、若しくはポイント−ツー−マルチポイント通信システムとしても知られる。ある実施形態では、グループ通信システム１００は、グループコールサーバ１０２を含む。グループコールサーバ１０２は、中央化された配置若しくは地域に分けられた配置のいずれかで配置される可能性がある。
【００１４】
例えば、ｃｄｍａ２０００受話器に配置される可能性があるグループ通信装置（クライアント）１０４及び１０６は、データサービスオプションを使用してパケットデータセッションを要求する可能性があり、そしてアプリケーションサーバにＩＰアドレスを登録するためにこのセッションを使用して、グループコール開始を実施する可能性がある。ある実施形態では、グループコールサーバ１０２は、サービスプロバイダのパケットデータサービスノード（ＰＤＳＮｓ）に接続される。ワイアレスインフラストラクチャからパケットデータセッションを要求することで、クライアント１０４及び１０６は、ＰＤＳＮｓを経由してグループコールサーバ１０２へのＩＰ接続性を有する可能性がある。ＰＤＳＮｓは、固定ネットワークにおけるデータの送信とエアーインターフェースを経由したデータの送信との間のインターフェースを与える。各ＰＤＳＮは、パケット制御機能（ＰＣＦ）１０８及びネットワーク１１２を経由して基地局コントローラ（ＢＳＣ）へインターフェースする可能性がある。パケット制御機能（ＰＣＦ）１０８は、基地局（ＢＳ）１１０内のＢＳＣと同じ場所に配置される可能性がある、
パケットデータサービスは、複数の状態、例えば、アクティブ若しくは接続された状態、ドーマント状態、及びナル若しくはインアクティブ状態、の１つになる可能性がある。アクティブ若しくは接続された状態では、物理的トラフィックチャネルは、移動局（ＭＳ）及びＢＳ若しくはＢＳＣとの間に存在し、そしてどちら側もデータを送信する可能性がある。ドーマント状態では、物理的トラフィックチャネルがＭＳとＢＳＣとの間に存在しないが、ＭＳとＰＤＳＮとの間のＰＰＰリンクは維持される。ナル若しくはインアクティブ状態では、ＭＳとＢＳＣとの間の物理的トラフィックチャネルがなく、そしてＭＳとＰＤＳＮとの間のＰＰＰリンクがない。
【００１５】
電源を入れることによって、クライアント１０４及び１０６は、データサービスオプションを使用してパケットデータセッションを要求する可能性がある。パケットデータセッションの設定の一部分として、各クライアントは、１つのＩＰアドレスを割り当てられる可能性がある。クライアント１０４及び１０６は、登録プロセスを実施する可能性があって、それらの位置情報、例えば、ＩＰアドレスをグループコールサーバ１０２に通知する可能性がある。登録は、ＩＰプロトコル、例えば、ユーザデータグラムプロトコル（ＵＤＰ）を介したセッションイニシエーションプロトコル（ＳＩＰ）、を使用して実施される可能性がある。クライアントのＩＰアドレスは、ユーザがグループコールに要請された場合にクライアントに連絡するために使用される可能性がある。
【００１６】
一旦グループコールが設定されると、クライアント１０４と１０６及びグループコールサーバ１０２は、メディア及びシグナリングメッセージを交換する可能性がある。ある実施形態では、メディアは、ＵＤＰを介してリアル−タイムプロトコル（ＲＴＰ）を使用してコール参加者とグループコールサーバ１０２との間で送信される可能性がある。シグナリングメッセージも、ＵＤＰを介したシグナリングプロトコルである可能性がある。
【００１７】
図２は、通信装置２０２、２０４、及び２０６がどのようにしてグループコールサーバ２０８と影響しあうかを示すためのイグゼンプラリなグループ２００を図示する。複数のグループコールサーバは、大規模のグループに対して望まれるように展開される可能性がある。図２において、ＣＤ２０２は、グループの他のメンバーにメディアを送信するための許可を有する。この場合には、ＣＤ２０２は、話し手として知られ、そしてチャネルを介してメディアを送信する。ＣＤ２０２が話し手として指定される場合に、残りの参加者、ＣＤ２０４及びＣＤ２０６、は、グループへメディアを送信するための許可を持たない可能性がある。したがって、ＣＤ２０４及びＣＤ２０６は、聞き手として指定される。上述したように、ＣＤｓ２０２，２０４、及び２０６は、少なくとも1のチャネルを使用してグループコールサーバ２０８に接続される。ある実施形態では、チャネルは、セッションイニシエーションプロトコル（ＳＩＰ）チャネル、メディア−シグナリングチャネル、及びメディアトラフィックチャネルを含む可能性がある。
【００１８】
グループ通信システム１００は、グループサービスを運営するために複数の異なる機能を実施する。ユーザの経験に関係する機能は、登録、コール開始、コール終了、警告の送信、遅れての参加、話し手の仲裁(arbitration)、ユーザの追加、メンバーの削除、登録取り消し、アドレシング、及び認証を含む。システムの準備及び運営に関係する機能は、管理及び供給、拡大の可能性、及び信頼性を含む。これらの機能は、未処理の特許出願、名称“グループ通信ネットワークにおいてグループを規定するための通信装置”、代理人文書番号第ＰＡ０２００４２号、に詳細に説明されている。これは、同じ譲受人に譲渡され、その本質がここに組み込まれている。
【００１９】
図３は、グループコールを開始するためのイグゼンプラリなメッセージフローを図示する。ユーザは、彼若しくは彼女がグループコールを始めることを希望する場合に、ドーマントパケットデータセッションにいる可能性がある。ユーザは、1若しくはそれ以上の目的のユーザ、1若しくはそれ以上の予め指定されたグループ、若しくは両者の組み合わせを選択する可能性があり、そしてプッシュ−ツー−トーク（ＰＴＴ）ボタンを押す可能性がある。より詳細に後で説明されるように、移動局が専用のトラフィックチャネルを有するか否かに拘らず、クライアントは、その後、グループコールをセットアップするためにグループコールサーバ１０２へグループコール要求３０２を送信する。要求が送信された後で、移動局のパケットデータセッションがドーマントであるならば、クライアントは、専用のトラフィックチャネルを再設定するためのプロセス及びメディアアクティビティに対してパケットデータセッションを準備するためのプロセス始める可能性がある。クライアントは、ある時間の期間にわたって開始者から受信した会話入力をバッファする可能性がある。
【００２０】
グループコールサーバ１０２が要求を受信する場合に、どれかが要求の中で指定されるのであれば、予め指定されたグループを目的のユーザメンバーリスト中に拡大する可能性がある。その後、グループコールサーバは、目的のユーザの位置情報を検索する可能性がある。この点で、グループコールサーバも、所望のグループがシステム中で既に動作しているかを決定する可能性がある。図３は、グループが未だ動作していないシナリオを示す。
【００２１】
グループコールサーバが、少なくとも1の目的のユーザの位置を見つけた後で、グループコールがセットアップされることを指示している応答３０４をクライアントに送り返す可能性がある。この点で、クライアントは、会話するため及び受信したメディアをバッファすることを開始するために開始者の要求を楽観的に許可する可能性がある。グループコールサーバは、目的の聞き手に通知状３０６を送り出すために目的のユーザの位置を使用する可能性がある。通知状を送信することは、ドーマンシから出るために目的の聞き手のパケットデータセッションをトリガする可能性があり、そしてそのトラフィックチャネルを再設定する可能性がある。
【００２２】
“即時応答(instant response)”は、ＰＴＴ若しくはコールセットアップ要求に応答するためにアプリケーションサーバにとって要する応答時間に関係する。グループコールセットアップ要求を含む任意のＰＴＴ要求に応答することのゴールは、所定のタイムピリオド、例えば、１秒若しくはそれ以下、で要求に確実に応答することである。多くの場合、ユーザがグループコールをセットアップすることを要求する場合に、ユーザのパケットデータセッションは、ドーマントであり、そして専用のトラフィックチャネルが存在しない。専用のトラフィックチャネルを再設定することは、かなりの時間を要する可能性がある。それゆえ、アプリケーションサーバへの通信は、複数の他の手段を経由して達成される可能性がある。
【００２３】
ある実施形態では、グループ通信システム１００は、チャット−ルームモデル及びアド−ホックモデルの両者をサポートする。チャット−ルームモデルにおいて、グループは、事前に指定される。これは、ディパッチサーバに記憶される可能性がある。事前に指定されたグループは、公開される可能性があり、グループは、公開のメンバーリスト、すなわち、任意のディスパッチユーザが可能性のあるユーザである、を有することを意味している。チャット−ルームモデルでは、コールは、１番目の人がチャット−ルームに参加することを決める場合に開始される、そして、サービスプロバイダによって設定される可能性がある所定の時間にわたって、トークアクティビティにかかわらず、コールに割り当てられたサーバリソースを使用して、コールは動作し続ける。ユーザは、この種のコールに参加しそして止めるために具体的に要求する。トークインアクティビティの期間の間、後で説明されるように、あるユーザがトークの許可を要求するまで、各コールは、グループドーマント状態に入る。グループ通信システム１００においてチャット−ルームモデルで動作する場合に、個々がネットメンバーとして知られる通信デバイスユーザのグループは、各ネットメンバーに割り当てられた通信デバイスを使用して互いに通信する。用語“ネット”は、互いに通信することを認可された通信デバイスユーザのグループを表す。
【００２４】
アド−ホックモデルでは、グループは、リアル−タイムで指定される可能性があり、そしてグループに関連付けられた非公開のメンバーリストを有する。非公開のメンバーリストは、どのユーザがグループに加入することを認められているかを指定する可能性があり、非公開のメンバーリスト外のユーザに利用されない可能性があり、そしてコールの存続期間にわたって存在するだけである可能性がある。アド−ホックグループの指定は、どこにも記憶されない可能性があり、これらは、コールを設定するために使用される可能性があり、コールが終了した後で破棄される可能性がある。起点のユーザが、1若しくはそれ以上の目的のユーザを選択しそして要求を発生する場合に、アド−ホックグループが、形成される可能性がある。要求は、コールを開始するためにサーバに送信される。目的のユーザは、グループ中に既に含まれていることの通知を送られる可能性があり、そして関連するコールに自動的に参加する可能性がある、すなわち、ユーザのアクションは、必要ない可能性がある。アド−ホックコールがインアクティブになる場合に、アプリケーションサーバは、コールを“テアダウン(tear down)”する可能性があり、そしてコールを開始するために使用したグループ指定を含むそれに割り当てられたリソースをフリーにする可能性がある。
【００２５】
ＰＴＴ待ち時間
ある実施形態では、パケットデータサービスがアクティブである場合に、インフラストラクチャ中のリソース、例えば、基地局トランシーバサブシステム（ＢＴＳ）、基地局コントローラ（ＢＳＣ）、パケット制御機能（ＰＣＦ）、及び無線リンク、は、移動局（ＭＳ）にアクティブに割り当てられる。ＩＰ−ベースのＶｏＩＰディスパッチサービスでは、グループ加入者の間でアクティブな会話が進行している一方で、各ユーザに対するパケットデータ接続は、アクティブを維持する。しかしながら、ワイアレス通信におけるインアクティビティの期間、すなわち“ハングタイム”、の後で、トラフィックチャネルは、ドーマント状態に移行する可能性がある。
【００２６】
ドーマント状態への移行は、システム能力を節約し、そしてサービスコスト及びバッテリーの消耗を削減する。たとえデータパケットが交換される予定がなくても、パケットデータセッションがアクティブの間に、たとえ低レベルであっても、高周波（ＲＦ）エネルギーは、基地局との同期及び出力制御を維持するために、携帯電話によって継続して送信されている可能性がある。これらの送信は、電話機において大きな電源消耗を生じる可能性がある。ドーマント状態では、しかしながら、電話機は、いずれのＲＦ送信を実施しない可能性がある。電話機電源を節約し、バッテリー寿命を引き伸ばすために、ハングタイムは、データが送信されない延長期間の後でドーマントモードへ電話機を移行するために設定される可能性がある。
【００２７】
グループコールサービスのイグゼンプラリな場合では、パケットデータサービスが全てのユーザに対してアクティブである一方で、ＰＰＴ要求、これはクライアントＣＤとグループコールサーバとの間で送信されたＩＰデータグラムである可能性がある、は、非常に低い待ち時間を有する。しかしながら、ユーザチャネルがドーマント状態に予め移行を完了したのであれば、ＰＴＴ待ち時間は、より長くなる可能性がある。パケットデータドーマンシの間に、パケットデータセッションに関連付けられた状態情報、これはモービルＩＰアドレスに含まれる可能性がある、は、維持される可能性がある。しかしながら、物理的トラフィックレイヤのような、ＰＰＰ以下のレイヤに関連付けられた状態情報は、解放され及び／若しくは割り当てを解除される可能性がある。
【００２８】
いくつかのインフラストラクチャでは、ドーマントパケットデータ接続をウェークアップさせるために、トラフィックチャネルは再指定されなければならず、リソースは再割り当てされなければならず、そして無線リンクプロトコル（ＲＬＰ）レイヤは、再初期化されなければならない。この効果は、トークグループがしばらくの間話さなかった後で、ユーザが自分のＰＴＴボタンを押してフロアを要求する場合に、初めの会話スパート(spurt)に対するＰＴＴ待ち時間は、一般に後続の会話スパートよりもはるかに長いことである。これは比較的頻繁でないが、サービスのユーティリティに影響する可能性があり、そして最小にされるはずである。
【００２９】
ＰＴＴ待ち時間を削減するために、ある実施形態では、グループコールシグナリング、例えば、フロア制御要求、フロア制御応答、及びドーマンシウェイクアップメッセージ、は、専用のトラフィックチャネルが再設定されるのを待たないで、複数の利用可能な共通チャネル上で送信される可能性がある。そのような共通チャネルは、モービルの状態にかかわらず常に利用できる可能性があり、そしてユーザがグループコールを始めようと希望する毎に要求されそして再割り当てされる必要がない可能性がある。それゆえ、グループコールシグナリングは、モービルがドーマントである場合でさえも、交換される可能性がある。これは、話し手と聞き手のモービルに対して並行して専用のトラフィックチャネルを再設定する手段を与える可能性がある。
【００３０】
ある実施形態では、コールしているモービルは、ある利用できる逆方向共通チャネル、例えば、逆方向アクセスチャネル及び逆方向拡張アクセスチャネル、を経由してワイアレスインフラストラクチャにフロア制御要求を送信する可能性がある。コールしているモービルは、フロア制御要求に対する応答をいくつかの利用できる順方向共通チャネル、例えば、順方向ページングチャネル及び順方向共通制御チャネル上でフロア制御要求に対する応答も受信する可能性がある。ある実施形態では、ドーマントな聞き手のモービルは、ドーマンシウェイクアップメッセージをいくつかの利用できる順方向共通チャネル上で、例えば、順方向ページングチャネル及び順方向共通制御チャネル上で、受信する可能性がある。
【００３１】
ショートデータバーストコール−シグナリングメッセージ
ある実施形態では、実際の全ドーマンシウェークアップ時間の著しい削減は、ショートデータバースト（ＳＤＢ）メッセージの使用を通して達成される可能性がある。ＳＤＢメッセージは、例えば、ここでは以降“ｃｄｍａ２０００標準”として呼ばれる、“ｃｄｍａ２０００拡散スペクトルシステムに関するＴＩＡ／ＥＩＡ／ＩＳ−２０００標準”に与えられるようなものである。ある実施形態では、ＳＤＢメッセージは、専用の物理チャネル若しくは共通物理チャネルの両者を経由して送信される可能性がある。専用の物理チャネルは、例えば、順方向基本チャネル（ＦＣＨ）若しくは順方向専用共通制御チャネル（Ｆ−ＤＣＣＨ）であり、共通物理チャネルは、例えば、逆方向アクセスチャネル（Ｒ−ＡＣＨ）、逆方向拡張アクセスチャネル（Ｒ−ＥＡＣＨ）、順方向共通制御チャネル（Ｆ−ＣＣＣＨ）、若しくはページングチャネル（ＰＣＨ）である。ＳＤＢメッセージは、ラジオバーストプロトコル（ＲＢＰ）によって転送される可能性がある。ラジオバーストプロトコル（ＲＢＰ）は、適切で利用可能な物理レイヤチャネル上にメッセージをマップする。ＳＤＢメッセージは不特定のＩＰトラフィックを搬送する可能性があり、共通物理チャネルを経由して送信される可能性があるため、ＳＤＢメッセージは、コールしているクライアントのモービルが専用のトラフィックチャネル持たない場合にグループコールシグナリングを交換するためのメカニズムを与える。
【００３２】
モービルが起点のコールシグナリングメッセージ
ある実施形態では、メディア−シグナリングメッセージは、逆方向リンク若しくはモービルが始めたリンクを経由してＩＰデータグラムを搬送する可能性がある。クライアント移動局は、ユーザがフロアを要求し、そして専用の逆方向トラフィックチャネルが直ぐに利用可能でない場合はいつでも、迅速にグループコールサーバに信号を送る可能性がある。クライアント移動局が全ての専用のトラフィックチャネルを解放したと仮定すると、クライアント移動局は、ワイアレスインフラストラクチャの逆方向共通チャネルを経由してフロア制御要求を直ちに転送する可能性がある。ワイアレスインフラストラクチャは、グループコールサーバへの要求を中継する可能性がある。例えば、専用の逆方向チャネルが利用できない場合に、逆方向アクセスチャネル若しくは逆方向拡張アクセスチャネルのいずれかが、そのようなメッセージを送信するために使用される可能性がある。ある実施形態では、クライアント移動局は、ＳＤＢメッセージとしてグループコールサーバへフロア要求メッセージを送信する可能性がある。
【００３３】
ネットワークが起点のコールシグナリングメッセージ
ある実施形態では、フロア制御要求を受信した後で、グループコールサーバは、メディアシグナリングメッセージを目的の加入者（聞き手）のグループへバーストする可能性があり、そして加入者の（聞き手の）トラフィックチャネルの再設定をトリガする可能性がある。ある実施形態では、パケット制御機能（ＰＣＦ）が、パケットデータサービングノード（ＰＤＳＮ）から少量の情報、例えば、パケットデータ、を受信する場合に、ＰＣＦは、特別の形式で基地局コントローラ（ＢＳＣ）へ情報を送信することを選択する可能性がある。ＰＤＳＮは、ドーマントパケットデータサービスインスタンスを使用してモービルへ宛て先を決められている可能性がある。ある実施形態では、特別の形式は、ショートデータバースト（ＳＤＢ）フォーマットを含む。ＳＤＢフォーマットは、ＴＩＡ／ＥＩＡ／ＩＳ−７０７−Ａ−２、“拡散スペクトルシステムに関するデータサービスオプション標準”、補遺２、２０００年７月付（ＩＳ−７０７−Ａ−２）、に明記されたようなものである。ＴＩＡ／ＥＩＡ／ＩＳ−２００１−Ａ、“ｃｄｍａ２０００アクセスネットワークインターフェースに関する相互運用可能性仕様（ＩＯＳ）”、２００１年８月付、（ＩＳ−２００１−Ａ）標準は、モービルへＳＤＢを配送するためにＢＳＣに関するいくつかのオプションを規定する。
【００３４】
ＩＳ−２００１−Ａ標準にしたがって、例えば、モービル上でドーマントパケットデータサービスインスタンスに対して宛て先が決められた少量のデータが、ＰＣＦにおいて受信された場合に、ＰＣＦは、このデータをＳＤＢフォーマットでＢＳＣへ送信することを選択する可能性がある。ショートデータバーストがモービルへデータを配送するために使用される可能性があるとＢＳＣが決定するのであれば、ＢＳＣは、シグナリングチャネルを経由してモービルに直接にデータ、これはＳＤＢフォーマットである可能性がある、を送信する可能性がある。ＢＳＣは、アプリケーションデータ配送サービス（ＡＤＤＳ）ページを介してモービルへ配送するためにＭＳＣへＳＤＢフォーマットのこのデータを送信する可能性もある。データは、ＢＳＣサービス要求／応答手順を使用してＭＳＣへ配送される可能性がある。ＢＳＣが、それ自身が所有のモービルへＳＤＢデータを良好に配送できないのであれば、ＡＤＤＳページ手順を介してモービルへ配送するためにＭＳＣへデータを送信することを選択する可能性がある。
【００３５】
モービルが終点のＳＤＢ配送に対するイグゼンプラリなコール−フロー手順は、ＩＳ−２００１−Ａ標準に説明されたように、図４に示される。
【００３６】
ある実施形態では、パケットデータは、ＰＰＰ接続されてドーマント状態である４０２。ＰＤＳＮは、特定のモービルに関連付けられた既存のＰＰＰ接続、例えば、Ａ１０接続、上でＰＣＦへパケットデータを送信する可能性がある４０４。ＰＣＦは、ＢＳＣへパケットデータを、例えば、Ａ９接続上でショートデータバーストで、送信する可能性がある４０６。ＰＣＦは、パケットデータをバッファする可能性もある。
【００３７】
ＢＳＣは、例えば、Ａ９−ＳＤＢ、アクノリッジメッセージを返送する４０８ことによってＰＣＦからＡ９−ＳＤＢメッセージの受信をアクノリッジする可能性がある。アクノリッジメッセージは、ＢＳＣがＳＤＢとしてモービルへデータを送信することを試みる可能性があることの指示を含む可能性がある。ＰＣＦは、その後、自身がバッファしていたデータを破棄する可能性がある。
【００３８】
ＢＳＣは、直接モービルへパケットデータを、例えば、ＳＤＢ形式で、送信する可能性がある、若しくは、ＢＳＣは、ＡＤＤＳページ手順を使用する可能性がある。ＢＳＣは、トラフィックチャネルをはじめに持ち上げることによってトラフィックチャネルを経由してモービルへデータを配送することを決定する可能性がある。ＢＳＣがモービルへＳＤＢを直接送信する４１０のであれば、モービルは、ＢＳＣから受信したＳＤＢに応答して、例えば、レイヤ２、アクノリッジメントを送信する可能性がある４１２。アクノリッジメントがモービルから受信されなければ、ＢＳＣは、データを送信しないことを選択する可能性がある、若しくは、ＡＤＤＳページ手順を介してデータを配送することをＭＳＣに依頼する可能性がある。
【００３９】
ＢＳＣがステップ４１０においてモービルへＳＤＢを良好に送信できなかったのであれば、ＢＳＣは、ＢＳＣサービス要求メッセージでＭＳＣへＳＤＢデータを送信する可能性がある４１４。ＭＳＣは、ＢＳＣへＢＳＣサービス応答を送信する４１６ことによってＢＳＣサービス要求メッセージの受信をアクノリッジする可能性がある。ＭＳＣは、ＳＤＢへ、そしてＳＤＢはアプリケーションデータメッセージフィールドに含まれる、ＡＤＤＳユーザパートエレメントセット中のデータバーストタイプフィールドを使用して（複数の）ＢＳＣへＡＤＤＳページメッセージを送信する可能性がある４１８。ＢＳＣは、モービルへＳＤＢを転送する可能性がある４２０。ＢＳＣからＳＤＢを受信した後で、例えば、レイヤ２、アクノリッジメントは、モービルによって送信される可能性がある４２２。
【００４０】
ＭＳＣがＡＤＤＳページメッセージ中にタグエレメントを含んでいたのであれば、ＢＳＣは、モービルからアクノリッジを受信した後で４２２、ＭＳＣへＡＤＤＳページアクノリッジメッセージを返送する可能性がある４２４。ＢＳＣは、ＰＣＦへ、例えば、Ａ９−アップデート−Ａ８、メッセージを送信する可能性があり４２６、モービルへＳＤＢの良好な送信を示す可能性がある。ＰＣＦは、ＰＤＳＮへＳＤＢエアーリンクレコードを有する、例えば、Ａ１１，登録要求を送信する可能性がある４２８。ＰＤＳＮは、例えば、Ａ１１、登録返信メッセージを使用して応答する可能性がある４３０。ＰＣＦは、例えば、Ａ９、アップデートアクノリッジを使用してＢＳＣへ応答する可能性がある４３２。
【００４１】
モービルへＳＤＢを直接配送するＢＳＣを有することは、遅延を最小にする可能性があるが、モービルは、ＳＤＢを受信しない可能性がある。その理由は、モービルがＳＤＢ到着の時間までにＢＳＣのサービスエリアの外へ移動した可能性があるためである。ＭＳＣがモービル位置情報を維持管理するので、ＡＤＤＳページは、モービルがＳＤＢを受信することを確認する。しかしながら、ＢＳＣが最初にＭＳＣへＳＤＢを送信しなければならいので、この手順は、より大きな遅延を受ける可能性があり、そしてその後、ＭＳＣは、ＡＤＤＳページを実施するために適切なＢＳＣｓへＳＤＢを送信する。
【００４２】
モービルの位置のキャシング
ある実施形態では、ＢＳＣは、モービルの位置情報をキャッシュする可能性がある。モービルの位置情報は、モービルに宛てられたＳＤＢであり、そしてパケットデータセッションがドーマントである場合に、ＢＳＣによって使用される可能性がある。キャッシュされたモービル位置情報を使用することは、ＭＳＣがＡＤＤＳページを送信することに起因する遅延を削除し、そしてモービルへＳＤＢの保障された配送を提供する。
【００４３】
ある実施形態では、ＢＳＣは、ＭＳＣによって送信されたページ要求へのモービルの応答から目的のモービルの位置情報を得る可能性がある。ページ応答メッセージは、セルアイデンティファイアフィールドを含む可能性がある。セルアイデンティファイアフィールドは、モービルの位置、例えば、セル位置エリアコード（ＬＡＣ）を特定する。ある実施形態では、ＢＳＣは、モービルの登録メッセージから位置情報を得る可能性がある。いくつかの登録の異なるタイプがあり、例えば、ＴＩＡ／ＥＩＡ／ＩＳ−２０００．５−Ａ、“ｃｄｍａ２０００拡散スペクトルシステムに関する上位レイヤ（レイヤ３）シグナリング標準”、２０００年１１月付、（ＩＳ−２０００標準）によって規定されたものである。これらの登録タイプのいずれかは、モービルの位置に関するＢＳＣ情報を提供する可能性がある。ＢＳＣがページ応答、登録応答、開始メッセージ、若しくはモービルに対する位置情報を提供する他のシグナリングメッセージを受信するのであれば、ＢＳＣは、自身のキャッシュしたデータベースをアップデートする可能性がある。
【００４４】
図５に示されたように、ＢＳＣが、モービルから、例えば、ＩＳ−２０００、ページ応答を受信した５０６後で、若しくはＭＳＣから位置情報アップデート受諾メッセージを受信した５０８後で、ＢＳＣは、モービルの位置情報をキャッシュする可能性がある５０２，５０４。キャッシュタイマは、登録メッセージを介したモービルの位置アップデートの頻度にしたがって設定される可能性がある。
【００４５】
ネットワーク構成
ネットワーク中の各ＰＣＦは、システムアイデンティフィケーション／ネットワークアイデンティフィケーション／パケットゾーンアイデンティフィケーション（ＳＩＤ／ＮＩＤ／ＰＺＩＤ）によって一義的に認識される可能性がある。モービルが、ドーマントパケットデータセッションの間に、１つのＰＣＦから他のＰＣＦへ移動する、すなわち、ＰＣＦツーＰＣＦハンドオフの、場合に、モービルは、ＰＤＳＮが新しいＰＣＦと、例えば、Ａ１０／Ａ１１、インターフェースを設定することを再登録する必要がある可能性があり、そして古いＰＣＦとの既存の接続を終了する。
【００４６】
ある実施形態では、図６に示されたように、ＢＳＣ及びＰＣＦは、同じ場所に配置される。パケットデータが、例えば、Ａ１０／Ａ１１接続を経由してＰＣＦに到達し、そしてＰＣＦがＳＤＢとしてパケットデータを送信することを決定する場合に、モービルは、同一のＢＳＣサービスエリア内にある可能性が最も高い可能性がある。それ以外は、モービルは、再登録することが必要であるはずであり、新たな、例えば、Ａ１０／Ａ１１、接続が異なるＰＣＦに設定されるはずである。
【００４７】
ある実施形態では、図７に示されたように、ＢＳＣ及びＰＣＦは、同じ場所に配置されない。ＢＳＣｓ及びＰＣＦは、例えば、Ａ８／Ａ１０接続を介してインターフェースされる可能性がある。ＢＳＣｓは、例えば、Ａ３／Ａ７接続を介して互いにインターフェースされる可能性がある。図７では、ＢＳＣ１は、同一のＰＣＦに接続されている他のＢＳＣｓと全て相互接続されるように示される。同一のＰＣＦに接続されるＢＳＣｓは、ポイント−ツーポイントリンクを介して若しくはスイッチングネットワークを介してのいずれかで相互接続される可能性がある。ＢＳＣ及びＰＣＦが同じ場所に配置されるシナリオとは異なって、ＰＣＦがＢＳＣ１にＳＤＢを送信する場合に、目的のモービルがＢＳＣ１から出て他のＢＳＣのサービスエリアに移動してしまった可能性があるために、ＢＳＣ１は、目的のモービルにＳＤＢを配送することができない可能性がある。図７において、例えば、モービルは、パケットデータセッションがドーマントになる前に、ＢＳＣ１中に存在していた可能性があり、そしてＢＳＣ１がＳＤＢ配送のためにＰＣＦから要求を受信するときにＢＳＣ５へ移動した可能性がある。
【００４８】
ＰＣＦがＢＳＣと同じ場所に配置されている可能性がある第１の実施形態では、ＰＣＦ／ＢＳＣは、ＢＳＣのサービスエリア内で全てのセルへＳＢＤを同報通信することによって、ＳＤＢとして目的のモービルへ情報を送信する可能性がある。あるいは、エアーリンクリソースの消費を減らすために、ＢＳＣは、その制御下にあるセルのサブセットへデータバーストを同報通信するために、モービルの位置情報、これはＢＳＣにおいて既にキャッシュされている可能性がある、を利用する可能性がある。
【００４９】
ＰＣＦがＢＳＣと同じ場所に配置される可能性がある第２の実施形態では、図８に示されたように、ＰＤＳＮからパケットデータを受信すると８０２、ＢＳＣ／ＰＣＦが情報をＳＤＢとして目的のモービルへ送信する前に、ＢＳＣ／ＰＣＦは、初めに情報をバッファする可能性がある。ＢＳＣ／ＰＣＦは、その後、ＢＳＣのキャッシュされたモービルの位置情報に基づいて自身のサービスエリア中のセルの全て若しくはセルのサブセットへ、要求、例えば、ＩＳ−２０００登録要求、ページ、若しくは他のシグナリングメッセージを送り出す８０４。ある種のアイデンティフィケーション情報、例えば、マッチングモービルアイデンティフィケーション番号（ＭＩＮ）若しくは電子的なシリアルナンバー（ＥＳＮ）、を有するモービルは、応答、例えば、登録要求メッセージ若しくは一般的なページ応答を送信すること８０６によって登録要求メッセージに応答する。応答は、モービルがどのセル／セクタに位置しているかの情報を提供する可能性がある。これは、ＢＳＣが宛て先のセル／セクタだけに情報を送信することを可能にする。ＢＳＣは、目的のモービルへＳＤＢを送信する８１０前に、モービルの位置情報をキャッシュする可能性がある８０８。キャッシュされた位置情報は、次のページングメッセージ、登録応答、開始メッセージ若しくはモービルに関する位置情報を与える他のシグナリングメッセージによってリフレッシュされる可能性があり、若しくはタイマによって古くなったものである可能性がある。
【００５０】
ＰＣＦがＢＳＣと同じ場所に配置されない可能性がある第３の実施形態では、例えば、ＩＳ−２０００ショートデータバーストのような、情報を送信するためにＰＣＦ要求の受信の後で、ＢＳＣは、目的のモービルに関するキャッシュされた位置情報を有するかを決定する可能性がある。位置情報がキャッシュされるのであれば、これはＢＳＣが保障された配送を実施することを可能にする、ＢＳＣは、キャッシュされた位置情報にしたがってセルのセットへショートデータバーストとしてＳＤＢを送信する可能性がある。あるいは、ＢＳＣは、例えば、Ａ３／Ａ７接続を介して他のＢＳＣｓへ、これは同一のＰＣＦに接続される可能性がある、ＰＣＦから受信したＳＤＢを送信する可能性がある。目的のモービルのキャッシュされた情報を有するＢＳＣｓは、キャッシュされた位置情報に基づいてそれらのセルへデータバーストとしてＳＤＢを配送する可能性がある。キャッシュされた位置情報を持たないＢＳＣｓも、そのサービスエリア下の全てのセルへデータバーストを同報通信する可能性がある。
【００５１】
ＰＣＦがＢＳＣと同じ場所に配置されない可能性がある第４の実施形態では、例えば、ＳＤＢとして情報を直接送信する代わりに、ＢＳＣが他のＢＳＣ若しくはＰＣＦから情報を受信する場合、図８に関連して上記したように、ＢＳＣは、初めにＳＤＢをバッファし、そして要求を外へ送信する可能性がある。対応する応答をモービルから受信した後で、情報は、例えば、データバーストで、モービルの登録メッセージ中で認識されたセル若しくはセクタだけに送信される可能性がある。あるいは、ＢＳＣは、ＢＳＣによってサービスされたセルのサブセットにだけ要求を送信するためにモービルの位置のキャッシュされた情報を利用する可能性がある。
【００５２】
ＰＣＦがＢＳＣと同じ場所に配置されない可能性がある第５の実施形態にしたがって、ＢＳＣは、バンド幅効率を改善するために登録要求若しくは一般ページを使用する可能性がある。ＢＳＣがＭＳＣからＡＤＤＳページメッセージを受信する場合に、ＭＳＣ  ＡＤＤＳページメッセージ中に指定されたようにセルのセットへ情報を、例えば、ＳＤＢ形式で同報通信する代わりに、ＢＳＣは、図８に関連して説明したように、初めに情報をバッファし、そしてその後、要求、例えば、登録要求、ページ、若しくは他のシグナリングメッセージを送り出す可能性がある。モービルからの応答、例えば、登録メッセージ応答若しくは一般ページ応答を受信した後で、情報は、その後、受信した応答によって認識されたセクタ若しくはセルにだけ送信される可能性がある。あるいは、ＢＳＣは、ＢＳＣによってサービスされたセルのサブセットだけに要求を送信するために、モービル位置のキャッシュされた位置情報を利用する可能性がある。
【００５３】
それゆえ、開示された実施形態は、モービルがドーマントであり、そしてトラフィックチャネルがアクティブでない場合でさえも、コールシグナリングを交換することによって実際の全ドーマンシウェークアップ時間を著しく削減することを提供する。装置及び方法は、ショートデータバースト（ＳＤＢ）メッセージシグナリングの使用を通してグループコールシグナリングを交換することを提供する。
【００５４】
本発明の複数の実施形態が、あるイグゼンプラリなグループコールサービスに関連して説明されたが、本発明は、開示された記述に示された若しくは図面に説明された構成及び構成要素の配置の詳細への応用に制限されないことが理解される。本発明は、他の実施形態において実施されることが可能であり、種々の方法、例えば、インスタントメッセージサービス若しくは任意の一般ワイアレスデータ通信アプリケーション、において実行されることが可能である。
【図面の簡単な説明】
【００５５】
【図１】図１は、グループ通信システムを図示する。
【図２】図２は、グループコールサーバと複数の通信装置がどのように影響しあうかを図示する。
【図３】図３は、１実施形態にしたがったイグゼンプラリなコール−セットアッププロセスを図示する。
【図４】図４は、１実施形態にしたがったネットワークが開始した情報配送プロセスに関するコール−シグナリングの詳細を図示する。
【図５】図５は、１実施形態にしたがった移動局に対する位置情報をバッファリングするためのイグゼンプラリなプロセスを図示する。
【図６】図６は、第１の実施形態にしたがったグループ通信ネットワークに対するイグゼンプラリな構成を図示する。
【図７】図７は、第２の実施形態にしたがったグループ通信ネットワークに対するイグゼンプラリな構成を図示する。
【図８】図８は、１実施形態にしたがったイグゼンプラリなネットワークが開始した情報配送プロセスを図示する。
【符号の説明】
【００５６】
１００…グループ通信システム，１０４，１０６…クライアント，１１０…基地局，１１２…ネットワーク，２０２，２０４，２０６…通信装置。
【図１】
2005535157.tif 000003
【図２】
2005535157.tif 000004
【図３】
2005535157.tif 000005
【図４】
2005535157.tif 000006
【図５】
2005535157.tif 000007
【図６】
2005535157.tif 000008
【図７】
2005535157.tif 000009
【図８】
2005535157.tif 000010
【国際調査報告】
2005535157.tif 000011
2005535157.tif 000012
2005535157.tif 000013